(57)【要約】      （修正有）【課題】設置自在のビデオや写真撮影機固定用具及び同補助の固定用具に関するものである。【解決手段】従来の三脚は、ビデオや写真撮影機を固定する条件として、地表が比較的平面であること及び、高さが２メートル前後まで等の制約があった。これらの不便や制約を解決する手段として、取扱いや設置方法が簡単で多くの場所や条件でも、ビデオや写真撮影機を固定することが出来る設置自在のビデオや写真撮影機固定用具及び同補助の固定用具を考案した。【選択図】図３
0003119825.tif 000002
【実用新案登録請求の範囲】
【請求項１】
写真やビデオ撮影機には、三脚に接続する時の装備として、底部に規格サイズのねじ穴がある。本考案は同ネジ穴のサイズに一致するねじ込むためのネジ山を有し、不動の固定物に、自在に設置出来る写真機やビデオ撮影機の固定用具及び同補助の固定用具。
不動の固定物との接続に際して、当該不動固定物の状況に応じて平板状や折れ曲がり状に対応し、締めつけナットの類、及びベルト状の物やアルミ板の類を結束のため通すことが出来る穴を有して、丸状の物や角状の物等に結束や板挟みが可能な構造のもの。
【請求項２】
［請求項１］の撮影機固定用具は、写真やビデオ撮影機との接続について、下部に滑り止めの突起を有するすり抜け式固定締めつけネジをつけ、その中間にすり抜け落下防止のワッシャを用い、かつ、ネジを２段階構造にして、はじめに下段のネジを回して撮影機へのねじ込みを奥まで締め、次に上段のネジの部分を回し、上段のネジを引き下げてねじ込み固定する構造のもの。
【請求項３】
［請求項１］の同補助の固定用具は、下部を［請求項２］の写真撮影機固定用具に接続し、上部は写真撮影機等に接続する２重の円筒棒状で、設置の際に回転、左右、上下、伸縮のほか、角度調節等の各課題に自在に対応し、かつ、固定設定の変更等が可能で、固定するための固定ネジやワッシャ等を装備し、装着の際の緩衝効果及び滑り止め効果があるゴムパットやゴムベルトを装着可能なもの。
【考案の詳細な説明】
【考案の詳細な説明】
【技術分野】
【０００１】  この考案は、従来の写真撮影機を固定する撮影用の三脚や雲台部分を排除して、従来では不可能であったあらゆる撮影機設定条件を解決し、不動の固定物に接続して写真撮影機を設定することにより、撮影対象物に対する撮影の狙いや効果を高度にし、固定写真撮影の可能条件をさらに大きくするものである。
【背景技術】
【０００２】  従来の写真撮影用の三脚は、その使用可能範囲は、比較的に地表が平面であること及び地表からの高さが２メートル前後までの範囲内であること、直下の対象物の撮影が困難等、設置や使用の面において限度的な条件があり、加えて、大きさ及び重量が同三脚の携帯、運搬、保管の面において不便であった。
【考案が解決しようとする課題】
【０００３】  本案は、写真撮影機を固定する従来の三脚に代わって、写真撮影機を固定する機能を向上させ、より小型で高機能、かつ携帯、運搬、保管の点で、従来の三脚に比べて、より便利、より軽快に写真撮影機を固定するものである。
【課題を解決するための手段】
【０００４】  その解決手段を図面を追いながら説明すれば、
（ア）  図１から図２は、従来の写真撮影用の三脚の状況である。
従来の写真撮影用の三脚は地面に対して比較的平面な場所を選んで三脚の脚３本（図２）を広げて立て、上部に写真撮影機（図１）を取りつけて、同写真撮影機が動かないようにして、同写真撮影機のシヤッターを切り撮影する器具及び使用方法である。
（イ）  図３から図４は、
【請求項１】
の写真撮影機固定用具を不動の固定物に接続する際、接続の対象物に応じて平板状、折れ曲がり状に変化し、結束固定のための穴を通じてベルト、ネジナット、アルミ板等を使用する。
（ウ）  図５から図６は、写真撮影機固定用具を写真撮影機に接続する際のネジの部分の断面図であるが、最上部に
【請求項１】
の規格に一致するネジ山を設置したもので、同ネジの下部に滑り止めの突起がある固定締めつけネジ、すり抜け防止のワッシャ、下段のネジ、上段のネジの状況である。
（エ）  図１１から図１２は、
【請求項３】
の同補助の固定用具であるが、下部は
【請求項２】
の写真撮影機固定用具に接続し、上部は写真撮影機本体の従来からの固定用のネジ穴に接続する構造で、断面図、側面図、及び説明図である。
特に撮影角度や距離の調節設定に、その機能を発揮する。
この補助の固定用具は、使用する写真撮影機の大きさや重量により、特大、大、中、小、のほか金属、強化プラスチック等の材質を選択すれば、より効果が大きい。
【考案を実施するための最良の形態】
【０００５】  本考案の実施にあたって、本件の写真撮影機固定用具は、金属や一部に強化プラスチック等の材質を使用し、接続部分のネジ山は、従来の写真機固定用三脚の接続のネジ山とそれぞれ合致するものとし、接続部分や同部分に連なる金属等の大きさや強度については、使用時の各写真撮影機の大きさや重量及び上下左右前後にわたる重力の配分に耐えうる構造であること。なお、写真撮影機の三脚取りつけ部のネジ山は、大型のテレビカメラ等の特殊な機種を除き、通常の中型や小型の写真撮影機では、各製品共通の規格のネジ山であるからいずれの写真撮影機とも合致する。
【考案の効果】
【０００６】  本案は、従来の写真撮影用の三脚の使用効果に対し、本案を実行することによって写真撮影の効果を著しく向上させ、かつ携帯や写真撮影の現場における利便の面で、大きく寄与するものである。
なお、個々の写真撮影機は、外形および重量が大小と多岐にわたっているよって本考案の製品は、これらの条件に対応できるよう、対荷力の点から、その大きさも、特大、大、中、小、と４段階位のサイズにするとより効果的である。
【図面の簡単な説明】
【図１】  写真撮影機やビデオ撮影機の底部に、三脚に接続する装備として固定用のねじ込み穴がある。このネジ穴に今回申請の写真撮影機固定用具や同補助の用具のネジ山を接続させる構造である。
【図２】  従来の三脚を使用してのビデオや写真撮影では、撮影機の固定について平面な地表、撮影の高さが２メートル位まで、接写は不可等の、使用に際しての不可避的な条件があったが、本登録願は、これら従来の三脚の不可避的な条件を脱却するものである。
【図３】  ［請求項１］の写真撮影機固定用具の平面、側面、背面、断面の各略図である。
【図４】  ［図３］の説明図である。撮影機固定用具の中央部に、下部に突起があるネジ山をつけ、写真撮影機と接続する。設置対象の不動の固定物の形態に応じて、挟み、あるいは丸く包み込む方法等で固定する。設置対象との接続を強固にするため、締めつけナット、締めつけベルト、アルミ板等を装備できる穴を設けて、これらを装備或いは装備出来る構造にする。接続の際の緩衝効果や滑り止めに効果のあるゴムパットやゴムベルトを用いる。
【図５】  ［請求項２］及び［図３］のねじ部分の断面図である。最上部に［請求項１］の規格に一致する接続のネジ山を設ける。
【図６】  ［図５］の断面説明図である。写真撮影機固定のための接続ネジは、下部に突起があり、かつ、すり抜け構造にして、中間に落下防止のワッシヤを付ける。ネジ山に写真撮影機を接続し、下段のネジをまわして仮止めの状態にしてから、上段のネジをまわし、次にすり抜けネジを回して引き下げると写真撮影機が固定用具に固定し、接続する。垂直部分に固定設置する場合の、第２段目の回転部は、内側だけの方向に曲がる構造にする。
【図７】  ［図３］の設定説明図である。［請求項１］の椅子の背もたれ等の垂直部分に設定の場合及びテーブルの端部分等の水平部分に横向きで設定の方法である。
【図８】  ［図３］の設定説明図である。［請求項１］及び［図３］の設定対象物が不動の固定物で、太枝、パイプ、手摺等の場合の設定の断面図である。
【図９】  ［請求項１］及び［図３］の設定対象物が不動の固定物で、大木、電柱等の場合の設定説明図である。
【図１０】  ［図９］の説明図である。ベルト、針金等を巻いて補強出来る。
【図１１】  ［請求項３］の補助の固定用具であるが、下部は［請求項１］のネジ穴から下方の写真撮影機固定用具に接続し、上部はネジ山から上方の写真撮影機本体の固定用のネジ穴に接続する。
【図１２】  ［図１１］の説明図  この補助の固定用具は、各ネジの調節によって、最下段及び最上段のネジで各１８０度の仰角回転が、そして、中段のネジで３６０度の回転各角度設定が可能で、さらに、中段のネジは、距離の伸縮設定に効果がある。
【図１３】  不動の固定物に設置した場合の固定用具及び補助の固定用具から写真撮影機への接続図である。
【図１４】  ［請求項１］［請求項２］及び［請求項３］の設定自在の撮影機固定用具及び同補助の固定用具の設定方法の事例。（ア）  接写で昆虫の動きや草花の状態等の間隔をおいた時間撮影の時の、ブロックや煉瓦を使った設定方法である。（イ）  垂直の不動固定物に設置の場合である。例、椅子の背もたれ。自動車の窓ガラス。（ウ）  水平の不動固定物に設置の場合である。例、テーブルの端の部分。自転車やバイクの荷台、本棚等。（エ）  高い垂直の不動固定物の中間に設置の場合である。例、看板。フスマ。障子。（オ）  丸い不動固定物に設置の場合である。例、パイプ。手摺。（カ）  斜めの不動固定物に設置の場合である。例、高所や狭い場所の木の幹や枝。
【符号の説明】
１はビデオや写真撮影機
２はビデオや写真撮影機の固定用具
３は補助の固定用具
４は撮影機固定用のネジ穴
５は撮影機固定用のネジ山
６は撮影機固定用の、下部に突起をつけたすり抜けネジ
７は撮影機固定用の、すり抜けネジの落下防止ワッシャ
８は撮影機の固定用具を補強するベルト、ネジナット等を通す穴
９は折れ曲がり用のちょうつがい
１０は内側へ挟み込みのツメ
１１は内側へ挟み込みのネジナット
１２は滑り止め及び緩衝のためのゴムマット、フエルト等
１３は上段の締めつけネジ
１４は下段の締めつけネジ
１５は固定補強のアルミ板、プラスチック板の通し枠
１６は上段及び下段の１８０度仰角回転の可動部
１７は２重円筒状の伸縮及び３６０度水平回転の可動部
１８は可動部の締めつけ固定ネジ
１９はビデオや写真撮影機固定用具と不動の固定物との締めつけに設定のベルト等
２０はビデオや写真撮影機固定用具と不動の固定物との締めつけに設定のアルミ板や強化プラスチック等。上から粘着テープ等を巻いて固定を強化する。
２１はレンガ、ブロック等、不動固定の低床上物及び地上の接地物
２２はビデオや写真撮影機固定の際の不動の固定物
【図１】
0003119825.tif 000003
【図２】
0003119825.tif 000004
【図３】
0003119825.tif 000005
【図４】
0003119825.tif 000006
【図５】
0003119825.tif 000007
【図６】
0003119825.tif 000008
【図７】
0003119825.tif 000009
【図８】
0003119825.tif 000010
【図９】
0003119825.tif 000011
【図１０】
0003119825.tif 000012
【図１１】
0003119825.tif 000013
【図１２】
0003119825.tif 000014
【図１３】
0003119825.tif 000015
【図１４】
0003119825.tif 000016
0003119825.tif 000017
【手続補正書】
【提出日】平成17年11月11日(2005.11.11)
【手続補正１】
【補正対象書類名】実用新案登録請求の範囲
【補正対象項目名】全文
【補正方法】変更
【補正の内容】
【実用新案登録請求の範囲】
【請求項１】
ビデオや写真撮影機には、三脚に接続する時の装備として、底部に規格サイズのネジ穴があるが、本考案は同ネジ穴のサイズに一致するねじ込むためのネジ山を有し、不動の固定物の丸状の物や角状の物等に結束や板挟みが可能なビデオや写真撮影機の固定用具。
【請求項２】
請求項１のビデオや写真撮影機固定用具は、中央の四辺形の中心に滑り止めの突起を有する構造のすり抜け式固定締めつけネジをつけ、同ネジの中間にすり抜けネジの落下防止のワッシャを用い、かつ、ねじを２段構造にして、はじめに下段のネジを回して撮影機へのねじ込みを奥まで締め、次に上段のネジを回して、上段のネジを引き下げることで固定するする構造の撮影機固定用具。
【請求項３】
ビデオや写真撮影機の補助の固定用具は、下部をビデオや写真撮影機固定用具に接続し、上部は写真撮影機等に接続する２重の円筒棒状で、固定するための固定ネジやワッシャ等を装備し、回転、左右、上下、伸縮のほか、角度調節等が自在である写真撮影機固定の補助の固定用具。
【手続補正２】
【補正対象書類名】明細書
【補正対象項目名】全文
【補正方法】変更
【補正の内容】
【考案の詳細な説明】
【考案の開示】
【考案が解決しようする課題】
【０００１】  従来の写真撮影用の三脚は、その使用可能範囲は、比較的に地表が平面であること及び地表からの高さが２メートル前後までの範囲内であること、直下の対象物の撮影が困難等、設置や使用の面において限度的な条件があり、加えて、大きさ及び重量が同三脚の携帯、運搬、保管の面において不便であった。
【課題を解決するための手段】
【０００２】  この考案は、従来の写真撮影機を固定する撮影用の三脚や雲台部分を排除して、従来では不可能であったあらゆる撮影機設定条件を解決し、不動の固定物に接続して写真撮影機を設定することにより、撮影対象物に対する撮影の狙いや効果を高度にし、固定写真撮影の可能条件をさらに大きくするものである。
【考案の効果】
【０００３】  本案は、写真撮影機を固定する従来の三脚に代わって、写真撮影機を固定する機能を向上させ、より小型で高機能、かつ携帯、運搬、保管の点で、従来の三脚に比べて、より便利、より軽快に写真撮影機を固定するものである。
【図面の簡単な説明】
【０００４】
【図１】  ビデオ撮影機や写真撮影機の底部に、撮影用の三脚に接続する構造として、接続固定用の規格サイズのねじ込み穴がある。本考案はこのネジ穴に写真撮影機固定用具や同補助の固定用具のネジ山を接続する方法であるが、撮影機の底部のねじ込み穴を示した説明略図である。
【図２】  従来の写真撮影用の三脚は、平面な場所に三脚の脚３本を広げて立てて、上部に撮影機に接続のための、規格サイズのネジ山を装備しているが、その説明略図である。
【図３】  写真撮影機固定用具の平面中央の四辺形の中心に、写真撮影機への接続のネジ山をつけ、不動の固定物に接続する時、接続の対象物に応じて平板状や折れ曲がり状に変化し、さらに結束固定のための穴をあけてベルト、ネジナット、アルミ板等を使用する構造の平面図、断面図、背面図及び折れ曲がり時の断面説明図である。
【図４】  写真撮影機固定用具を写真撮影機に接続する際のネジの部分の拡大図であるが、中央の中心最上部に、規格に一致するネジ山を有し、同ネジの下部に滑り止めの突起がついた固定用のすり抜けネジを設置、同すり抜けネジの落下防止のワッシャ、下段の固定ネジ、上段の締めつけネジの状況を示した写真撮影機固定用具の中央部分の拡大断面図である。
【図５】  テーブルの端や椅子の背受け等の平板状の端の部分に設置する場合の挟みみ込み、ネジナットで締め込み固定状況の説明断面図及び説明側面図である。
【図６】  大木の幹や枝、丸柱、手摺等の丸い形の不動の固定物に設置する場合の固定の状況説明である。固定強化のため、アルミ板やプラスチック板を固定用具に通し、粘着テープを巻き付けて固定する方法の説明で写真やビデオ撮影機固定用具の設置方法の断面図及び側面図である。
【図７】  大木や電柱等の大型の不動の固定物にビデオや写真撮影機固定用具を設置する場合、固定用具にベルトを通して不動の固定物に締めつけ固定する方法の説明断面図である。
【図８】  ビデオや写真撮影機固定用具の同補助の固定用具の図であるが、上部に写真撮影機へ接続のネジ山、下部に固定用具へ接続のネシ穴を設け、中間を二重の円筒状にして、上及び下の調整ネジで前後に１８０度の回転、中間のネジで３６０度の回転や伸縮の調整をする断面図及び側面図である。
【図９】  木の枝等に写真撮影機固定用具及び同補助の固定用具を設置する場合、上部のネジ山に写真撮影機を取りつける設定の説明断面図である。
【符号の説明】
【０００５】  １  ビデオや写真撮影機
２  ビデオや写真撮影機の固定用具
３  ビデオや写真撮影機固定用具の補助の固定用具
４  撮影機固定用のネジ穴
５  撮影機固定用のネジ山
６  撮影機固定用のネジで、下部に突起があるすり抜けネジ
７  撮影機固定用のすり抜けネジの落下防止ワッシャ
８  撮影機固定用具の固定を補強するベルト、ネジナット等を通す穴
９  折れ曲がり構造で接続用のチョウツガイ
１０  内側へ挟み込み、外開き防止のツメ
１１  内側へ挟み込みのネジナット
１２  ビデオや写真撮影機の滑り止めマット
１３  上段の締めつけネジ
１４  下段の締めつけネジ
１５  ビデオや写真撮影機固定用具の補助の固定用具
１６  上段及び下段の１８０度回転の可動部
１７  ２重円筒状で伸縮及び３６０度回転の可動部
１８  可動部の締めつけ固定ネジ
１９  滑り止め及び緩衝のためのゴムマット、フエルト類
２０  ビデオや写真撮影機固定用具と不動の固定物との接続固定、締めつけに設定のベルト類
２１  同上、接続固定のアルミ板や強化プラスチック等
２２  ビデオや写真撮影機固定の際の不動の固定物
【手続補正３】
【補正対象書類名】図面
【補正対象項目名】全図
【補正方法】変更
【補正の内容】
【図１】
0003119825.tif 000018
【図２】
0003119825.tif 000019
【図３】
0003119825.tif 000020
【図４】
0003119825.tif 000021
【図５】
0003119825.tif 000022
【図６】
0003119825.tif 000023
【図７】
0003119825.tif 000024
【図８】
0003119825.tif 000025
【図９】
0003119825.tif 000026